(57)【要約】【課題】物由来物質に含まれる脂質成分または糖質成分が、緩衝材の表面から滲出することにより、ワークへの塗料定着性を維持しつつ、粒子の摩擦によって生じる静電気を低減することができる緩衝材を提供する。【解決手段】本発明の緩衝材は、ワークをブラスト処理する際に用いられる緩衝材であって、植物由来物質に含まれる脂質成分または糖質成分が、緩衝材の表面から滲出可能に構成されている。この構成によれば、緩衝材の表面から滲出する植物由来物質の脂質成分または糖質成分が、ワークの表面やブラスト装置の内壁に付着して、静電防止剤として機能するため、粒子の摩擦によって生じる静電気を低減することができる。また、この構成によれば、化学的な静電防止剤の代わりに、植物由来物質の脂質成分または糖質成分を静電防止剤として用いるため、ワークへの塗料定着性を維持することができる。【選択図】図１
2010280027.tif 000002
【特許請求の範囲】
【請求項１】
ワークをブラスト処理する際に用いられる緩衝材であって、
植物由来物質に含まれる脂質成分または糖質成分が、前記緩衝材の表面から滲出可能に構成されていることを特徴とする緩衝材。
【請求項２】
前記脂質成分または前記糖質成分は、大豆、小豆、インゲン豆、ウズラ豆、ライ豆、エンドウ豆、グリーンピース、花豆、ソラ豆、ササゲ、黒目豆、ヒヨコ豆、緑豆、レンズ豆、イナゴ豆（キャロブ）、落花生、グアー豆、ナタ豆、コーヒー豆、カカオ豆、メキシコトビマメからなる群より選ばれる何れか１つまたはそれらの混合物から抽出される成分であることを特徴とする請求項１に記載の緩衝材。
【請求項３】
前記緩衝材は、大豆、小豆、インゲン豆、ウズラ豆、ライ豆、エンドウ豆、グリーンピース、花豆、ソラ豆、ササゲ、黒目豆、ヒヨコ豆、緑豆、レンズ豆、イナゴ豆（キャロブ）、落花生、グアー豆、ナタ豆、コーヒー豆、カカオ豆、メキシコトビマメからなる群より選ばれる何れか１つまたはそれらの混合物の乾燥物であることを特徴とする請求項１または２に記載の緩衝材。
【請求項４】
前記緩衝材は、コア部を含み、
前記コア部は、前記コア部の外側表面に前記植物由来物質の粉末体を備えることを特徴とする請求項１または２に記載の緩衝材。
【請求項５】
前記コア部は、植物繊維からなり、前記植物繊維に含まれる脂肪分または糖分を粘着剤として、前記植物由来物質の粉末体を付着させることを特徴とする請求項４に記載の緩衝材。
【請求項６】
前記緩衝材は、
コア部と、
前記コア部を覆う多孔質層とを含み、
前記多孔質層は、前記脂質成分または前記糖質成分が含浸可能に構成されていることを特徴とする請求項１または２に記載の緩衝材。
【請求項７】
前記緩衝材は、
前記多孔質層を覆う外層を含み、
前記外層は、前記多孔質層より硬度が高く、前記脂質成分または前記糖質成分が滲出するための複数の孔部を備えることを特徴とする請求項６に記載の緩衝材。
【請求項８】
ワークをブラスト処理する際に用いられる投射材であって、
植物由来物質に含まれる脂質成分または糖質成分が、前記投射材の表面から滲出可能に構成されていることを特徴とする投射材。
【発明の詳細な説明】
【技術分野】
【０００１】
本発明は緩衝材に関し、特に、ワークをブラスト処理する際に用いられる緩衝材に関する。
【背景技術】
【０００２】
従来の主なブラスト装置として、タンブラー式のブラスト装置がある（例えば、特許文献１参照）。タンブラー式のブラスト装置は、エンドレスベルトの凹部に投入されたワークを、回転させながらブラスト処理を行う。
【先行技術文献】
【特許文献】
【０００３】
【特許文献１】特開２００３−３２６４６０号公報
【発明の開示】
【発明が解決しようとする課題】
【０００４】
しかしながら、従来のタンブラー式のブラスト装置では、投射材をワークに噴射して、ワークにブラスト処理を施すが、合成樹脂系の投射材を用いた場合は、粒子の摩擦による静電気の発生により、投射材がワークの表面やブラスト装置の内壁に付着するという問題点があった。特に、精密電子部品（ＩＣやＬＳＩのモールドパッケージやダイカスト等）の成型加工品のブラスト処理において、投射材が成型加工品に付着すると、電気的な悪影響が生じるという問題点があった。また、化学的な静電防止剤を含む投射材があるが、化学的な静電防止剤を用いると、ワークの表面の塗装を施す際に、塗料がワークに定着し難くなるという問題点があった。
【０００５】
本発明は、従来の問題を解決するためになされたもので、植物由来物質に含まれる脂質成分または糖質成分が、緩衝材の表面から滲出することにより、ワークへの塗料定着性を維持しつつ、粒子の摩擦によって生じる静電気を低減することができる緩衝材を提供する。
【課題を解決するための手段】
【０００６】
本発明の緩衝材は、ワークをブラスト処理する際に用いられる緩衝材であって、植物由来物質に含まれる脂質成分または糖質成分が、前記緩衝材の表面から滲出可能に構成されている。
【０００７】
この構成によれば、緩衝材の表面から滲出する植物由来物質の脂質成分または糖質成分が、ワークの表面やブラスト装置の内壁に付着して、静電防止剤として機能するため、粒子の摩擦によって生じる静電気を低減することができる。また、この構成によれば、化学的な静電防止剤の代わりに、植物由来物質の脂質成分または糖質成分を静電防止剤として用いるため、ワークへの塗料定着性を維持することができる。
【０００８】
本発明の緩衝材では、前記脂質成分または前記糖質成分は、大豆、小豆、インゲン豆、ウズラ豆、ライ豆、エンドウ豆、グリーンピース、花豆、ソラ豆、ササゲ、黒目豆、ヒヨコ豆、緑豆、レンズ豆、イナゴ豆（キャロブ）、落花生、グアー豆、ナタ豆、コーヒー豆、カカオ豆、メキシコトビマメからなる群より選ばれる何れか１つまたはそれらの混合物から抽出される成分である。
【０００９】
この構成によれば、様々な豆類の脂質成分または糖質成分を利用することが可能となり、入手容易性に応じて、安価で高品質な緩衝材を提供することができる。
【００１０】
本発明の緩衝材は、大豆、小豆、インゲン豆、ウズラ豆、ライ豆、エンドウ豆、グリーンピース、花豆、ソラ豆、ササゲ、黒目豆、ヒヨコ豆、緑豆、レンズ豆、イナゴ豆（キャロブ）、落花生、グアー豆、ナタ豆、コーヒー豆、カカオ豆、メキシコトビマメからなる群より選ばれる何れか１つまたはそれらの混合物の乾燥物である。
【００１１】
この構成によれば、様々な乾燥豆類をそのまま用いることができるため、安価で簡便な緩衝材を提供することができる。
【００１２】
本発明の緩衝材は、コア部を含み、前記コア部は、前記コア部の外側表面に前記植物由来物質の粉末体を備える。
【００１３】
この構成によれば、コア部の弾性係数を自由に設定することにより、ワークに応じた硬度を有する緩衝材を提供することができるとともに、ワークへの塗料定着性を維持しつつ、粒子の摩擦によって生じる静電気を低減することができる。
【００１４】
本発明の緩衝材では、前記コア部は、植物繊維からなり、前記植物繊維に含まれる脂肪分または糖分を粘着剤として、前記植物由来物質の粉末体を付着させる。
【００１５】
この構成によれば、植物繊維に含まれる脂肪分または糖分を粘着剤として用いることで、安価に植物由来物質の粉末体をコア部に付着させることができる。
【００１６】
本発明の緩衝材は、コア部と、前記コア部を覆う多孔質層とを含み、前記多孔質層は、前記脂質成分または前記糖質成分が含浸可能に構成されている。
【００１７】
この構成によれば、コア部の弾性係数を自由に設定することにより、ワークに応じた硬度を有する緩衝材を提供することができるとともに、多孔質層に適量の脂質成分または糖質成分を含浸させることにより、ワークの表面やブラスト装置の内壁に付着する脂質成分または糖質成分の量を調整することができる。
【００１８】
本発明の緩衝材は、前記多孔質層を覆う外層を含み、前記外層は、前記多孔質層より硬度が高く、前記脂質成分または前記糖質成分が滲出するための複数の孔部を備える。
【００１９】
この構成によれば、比較的弾力性のある多孔質層であっても、外層の硬度を多孔質層の硬度より高くすることで、ワークに応じた硬度を有する緩衝材を提供することができるとともに、多孔質層に含浸された脂質成分または糖質成分が外層の孔部から滲出することにより、ワークの表面やブラスト装置の内壁に付着する脂質成分または糖質成分の量を調整することができる。
【００２０】
本発明の投射材は、ワークをブラスト処理する際に用いられる投射材であって、植物由来物質に含まれる脂質成分または糖質成分が、前記投射材の表面から滲出することを特徴とする。
【００２１】
この構成によれば、投射材の表面から滲出する植物由来物質の脂質成分または糖質成分が、ワークの表面やブラスト装置の内壁に付着して、静電防止剤として機能するため、粒子の摩擦によって生じる静電気を低減することができる。また、この構成によれば、植物由来物質の脂質成分または糖質成分であるため、ワークへの塗料定着性を維持することができる。
【発明の効果】
【００２２】
本発明の緩衝材は、ワークをブラスト処理する際に用いられる緩衝材であって、植物由来物質に含まれる脂質成分または糖質成分が、緩衝材の表面から滲出することにより、ワークへの塗料定着性を維持しつつ、粒子の摩擦によって生じる静電気を低減することができる。
【図面の簡単な説明】
【００２３】
【図１】タンブラー式のブラスト装置の一例を示した斜視図である。
【図２】本発明の第１の実施の形態にかかる緩衝材１０を示した断面図である。
【図３】本発明の第２の実施の形態にかかる緩衝材１０を示した断面図である。
【図４】本発明の第３の実施の形態にかかる緩衝材１０を示した断面図である。
【図５】本発明の第４の実施の形態にかかる緩衝材１０を示した断面図である。
【図６】本発明の第４の実施の形態にかかる緩衝材１０の変形例を示した断面図である。
【発明を実施するための形態】
【００２４】
以下、本発明の実施の形態にかかるブラスト装置について詳細に説明するが、本発明はかかる実施の形態のみに限定されるものではない。
【００２５】
（第１の実施の形態）
以下、本発明にかかる第１の実施の形態について、図面を用いて説明する。図１は、タンブラー式のブラスト装置の一例を示した斜視図である。ブラスト装置１００は、エンドレスベルト凹部５、回転体１２、ブラスト部５０、ローラー５１、ローラー５２、およびエンドレスベルト５３を備える。
【００２６】
エンドレスベルト凹部５は、加工物であるワークＷを収容し、ワークＷを回転させる。回転体１２がエンドレスベルト５３を押圧することにより、エンドレスベルト凹部５を形成する。すなわち、エンドレスベルト凹部５は、回転体１２の周辺部をエンドレスベルト５３が移動することにより形成される。
【００２７】
ブラスト部５０は、エンドレスベルト凹部５で回転するワークＷに対し投射材を噴射して、ブラスト処理を行う。ローラー５１およびローラー５２は、エンドレスベルトを押圧することで、エンドレスベルトに張力を付与する。ローラー５１およびローラー５２は、ダンパーもしくはスプリングにより上下に移動可能であり、エンドレスベルト５３の張力を調整する。
【００２８】
図１に示すように、エンドレスベルト凹部５には、ワークＷと緩衝材１０が収容される。緩衝材１０は、複数のワークＷの間に介在して、ワークＷ同士の衝突を防止し、ワークＷの損傷を低減する。したがって、ワークＷの硬度、大きさ、重さ、形状、素材などに応じて、緩衝材１０の硬度、大きさ、比重、形状、素材などは自由に設定される。なお、第１の実施の形態にかかる緩衝材１０は、直径が約０．５〜２．０ｃｍの略球状体である。
【００２９】
図２は、本実施の形態の略球状の緩衝材１０を示した断面図である。緩衝材１０は、植物由来物質に含まれる脂質成分または糖質成分を主成分とする緩衝液２２が、緩衝材１０の表面から滲出する。緩衝液２２は、大豆、小豆、インゲン豆、ウズラ豆、ライ豆、エンドウ豆、グリーンピース、花豆、ソラ豆、ササゲ、黒目豆、ヒヨコ豆、緑豆、レンズ豆、イナゴ豆（キャロブ）、落花生、グアー豆、ナタ豆、コーヒー豆、カカオ豆、メキシコトビマメから抽出される成分またはこれらの混合物を主成分とする。
【００３０】
例えば、不飽和脂肪酸である脂質成分としては、ω−３脂肪酸（α−リノレン酸、ステアリドン酸、エイコサペンタエン酸、ドコサヘキサエン酸）、ω−６脂肪酸（リノール酸、γ−リノレン酸、ジホモ−γ−リノレン酸、アラキドン酸）、およびω−９脂肪酸（オレイン酸、エライジン酸、エルカ酸、ネルボン酸）がある。また、リン脂質である脂質成分としては、レシチンがある。特に、乾燥大豆から抽出される脂質成分（リノール酸、α−リノレン酸など）が好ましい。また、大豆油、ヤシ油、パーム油、コットン油、およびツバキ油を、脂質成分として用いてもよい。
【００３１】
糖質成分としては、単糖類（トリオース、テトロース、ペントース、ヘキソース、ヘプトース）、マルチプル（二糖類、三糖類、四糖類、オリゴ糖、多糖類）、および配糖体がある。特に、乾燥大豆から抽出される糖質成分（オリゴ糖、サポニン、イソフラボン配糖体など）が好ましい。
【００３２】
緩衝材１０には、液状の脂質成分または糖質成分が含浸される。例えば、緩衝材１０は、多孔質体であって、多孔質体の孔部に液状の脂質成分または糖質成分が含浸される。多孔質体としては、多孔質セラミックス、多孔質ガラス、多孔質シリコンゴム、多孔質ポリウレタンなどがあり、ワークＷの硬度に応じて適宜選択可能である。
【００３３】
緩衝材１０は、ブラスト装置１００のエンドレスベルト凹部５で、複数のワークＷとともにエンドレスベルト５３により攪拌される。攪拌されている緩衝材１０の表面から、緩衝材１０に含浸された脂質成分または糖質成分が緩衝液２２となって滲出する。滲出した緩衝液２２は、緩衝材１０とワークＷが攪拌されて接触した際に、ワークＷの表面に付着して、静電防止剤として機能する。この結果、ブラスト処理の際に粒子の摩擦によって生じる静電気を低減することができる。また、化学的な静電防止剤の代わりに、植物由来物質の脂質成分または糖質成分を静電防止剤として用いるため、ワークＷへの塗料定着性を維持することができる。
【００３４】
なお、緩衝材１０は、大豆、小豆、インゲン豆、ウズラ豆、ライ豆、エンドウ豆、グリーンピース、花豆、ソラ豆、ササゲ、黒目豆、ヒヨコ豆、緑豆、レンズ豆、イナゴ豆（キャロブ）、落花生、グアー豆、ナタ豆、コーヒー豆、カカオ豆、メキシコトビマメからなる群より選ばれる何れか１つまたはそれらの混合物の乾燥物であってもよい。好ましくは、緩衝材１０は乾燥大豆である。実際に、乾燥大豆を緩衝材１０として用い、樹脂性の携帯電話筺体部（５ｃｍ×１４ｃｍ×１ｃｍ）に対して、タンブラー式のブラスト装置１００によるブラスト処理を行ったところ、静電気によって今まで大量に付着していた粉末がほとんど付着しないことを確認した。この際、乾燥大豆から滲出した緩衝液２２が、ワークＷの表面に付着して、静電防止剤として機能することを確認した。また、ブラスト処理後のワークＷに塗料を塗布したところ、化学的な静電防止剤で問題となっていた塗料定着性が劣化しないことを確認した。このように、静電防止剤として、様々な乾燥豆類をそのまま用いることができるため、安価で簡便な緩衝材を提供することができるとともに、塗料定着性を維持することができる。
【００３５】
（第２の実施の形態）
以下、本発明にかかる第２の実施の形態について、図面を用いて説明する。特に言及しない場合は、他の構成は、第１の実施の形態にかかる緩衝材１０と同様である。
【００３６】
図３は、本発明の第２の実施の形態にかかる緩衝材１０を示した図である。緩衝材１０は、コア部２１を含み、コア部２１の外側表面に粉末体２３を備える。ワークＷの硬度、大きさ、重さ、形状、素材などに応じて、コア部２１の硬度、大きさ、比重、形状、素材などは自由に設定される。粉末体２３は、植物由来物質からなる。粉末体２３から、植物由来物質に含まれる脂質成分または糖質成分を主成分とする緩衝液２２が滲出し、緩衝材１０の表面を覆う。
【００３７】
粉末体２３は、大豆、小豆、インゲン豆、ウズラ豆、ライ豆、エンドウ豆、グリーンピース、花豆、ソラ豆、ササゲ、黒目豆、ヒヨコ豆、緑豆、レンズ豆、イナゴ豆（キャロブ）、落花生、グアー豆、ナタ豆、コーヒー豆、カカオ豆、メキシコトビマメからなる群より選ばれる何れか１つまたはそれらの混合物の乾燥物の粉末物である。好ましくは、粉末体２３は乾燥大豆の粉末物である。
【００３８】
本実施の形態では、コア部２１の弾性係数を自由に設定することにより、ワークＷに応じた硬度を有する緩衝材１０を提供することができるとともに、粉末体２３から滲出する緩衝液２２の作用によって、ワークＷへの塗料定着性を維持しつつ、粒子の摩擦によって生じる静電気を低減することができる。
【００３９】
コア部２１は、植物繊維からなり、コア部２１の植物繊維に含まれる脂肪分または糖分を粘着剤として、粉末体２３を付着させてもよい。この場合、植物繊維に含まれる脂肪分または糖分を粘着剤として用いることで、安価に植物由来物質の粉末体２３をコア部２１に付着させることができる。
【００４０】
（第３の実施の形態）
以下、本発明にかかる第３の実施の形態について、図面を用いて説明する。特に言及しない場合は、他の構成は、第１および第２の実施の形態にかかる緩衝材１０と同様である。
【００４１】
図４は、本発明の第３の実施の形態にかかる緩衝材１０を示した図である。緩衝材１０は、コア部２１と、多孔質層２５とを含む。多孔質層２５は、コア部２１を覆うように密着して、脂質成分または糖質成分を主成分とする緩衝液が含浸される。
【００４２】
本実施の形態では、コア部２１の弾性係数を自由に設定することにより、ワークＷに応じた硬度を有する緩衝材１０を提供することができるとともに、多孔質層２５に適量の脂質成分または糖質成分を含浸させることにより、ワークＷの表面やブラスト装置１００の内壁に付着する脂質成分または糖質成分の量を調整することができる。これにより、所望の静電効果や塗料定着性を得ることができる。
【００４３】
コア部２１は、多孔質体であって、多孔質体の孔部に液状の脂質成分または糖質成分を主成分とする緩衝液が含浸されてもよい。この場合、毛細管現象を利用して、コア部２１に含浸された緩衝液が多孔質層２５に移動するように、コア部２１の多孔質体が適宜選択される。多孔質体としては、多孔質セラミックス、多孔質ガラス、多孔質シリコンゴム、多孔質ポリウレタンなどがある。
【００４４】
（第４の実施の形態）
以下、本発明にかかる第４の実施の形態について、図面を用いて説明する。特に言及しない場合は、他の構成は、第１乃至第３の実施の形態にかかる緩衝材１０と同様である。
【００４５】
図５は、本発明の第４の実施の形態にかかる緩衝材１０を示した図である。緩衝材１０は、多孔質層２５を覆う外層２６を含む。外層２６は、多孔質層２５より硬度が高く、脂質成分または糖質成分が滲出するための複数の孔部２７を備える。この場合、多孔質層２５に含浸された緩衝液が、外層２６の孔部２７を通って、外層２６の表面に滲出する。
【００４６】
このように、外層２６の硬度を多孔質層２５の硬度より高くすることで、緩衝液の吸収性が高く比較的弾力性のある多孔質層２５であっても、ワークＷに応じた硬度を有する緩衝材１０を提供することができるとともに、多孔質層２５に含浸された緩衝液が外層の孔部２７から滲出することにより、ワークＷの表面やブラスト装置１００の内壁に付着する脂質成分または糖質成分の量を調整することができる。これにより、所望の静電効果や塗料定着性を得ることができる。
【００４７】
なお、図６に示すように、多孔質層２５は、凹部２８を備えてもよい。凹部２８は、外層２６の孔部２７と連通している。多孔質層２５は、凹部２８を備えることにより、緩衝液が滲出する面積を大きくすることができるため、滲出する緩衝液の量を多くすることができる。また、凹部２８の深さを調整することにより、滲出する緩衝液の量を調整することができる。
【００４８】
以上、本発明にかかる実施の形態について説明したが、本発明はこれらに限定されるものではなく、請求項に記載された範囲内において変更・変形することが可能である。
【００４９】
例えば、本発明にかかる実施の形態は、ワークＷをブラスト処理する際に用いられる緩衝材に関するものであるが、ブラスト部５０により噴射される投射材としても応用可能である。つまり、ワークＷをブラスト処理する際に用いられる投射材であって、植物由来物質に含まれる脂質成分または糖質成分が、投射材の表面から滲出可能に構成されている。この場合、投射材の構成は上記の緩衝材と同様であるが、大きさが上記の緩衝材と異なる。例えば、投射材の大きさは、０．２〜２．０ｍｍである。
【００５０】
このように、投射材として応用しても、投射材の表面から滲出する緩衝液が、ワークＷの表面やブラスト装置１００の内壁に付着して、静電防止剤として機能するため、粒子の摩擦によって生じる静電気を低減することができる。また、この構成によれば、緩衝液は植物由来物質の脂質成分または糖質成分であるため、ワークＷへの塗料定着性を維持することができる。
【００５１】
また、投射材は、大豆、小豆、インゲン豆、ウズラ豆、ライ豆、エンドウ豆、グリーンピース、花豆、ソラ豆、ササゲ、黒目豆、ヒヨコ豆、緑豆、レンズ豆、イナゴ豆（キャロブ）、落花生、グアー豆、ナタ豆、コーヒー豆、カカオ豆、メキシコトビマメからなる群より選ばれる何れか１つまたはそれらの混合物の乾燥物の粉末体であってもよい。好ましくは、緩衝材１０は乾燥大豆の粉末体である。実際に、乾燥大豆の粉末体を投射材として用い、樹脂性の携帯電話筺体部（５ｃｍ×１４ｃｍ×１ｃｍ）に対して、タンブラー式のブラスト装置１００によるブラスト処理を行ったところ、静電気によって今まで大量に付着していた粉末がほとんど付着しないことを確認した。この際、乾燥大豆の粉末体から滲出した緩衝液が、ワークＷの表面に付着して、静電防止剤として機能することを確認した。また、ブラスト処理後のワークＷに塗料を塗布したところ、化学的な静電防止剤で問題となっていた塗料定着性が劣化しないことを確認した。このように、静電防止剤として、様々な乾燥豆類をそのまま用いることができるため、安価で簡便な緩衝材を提供することができるとともに、塗料定着性を維持することができる。
【００５２】
また、ブラスト部５０の噴射方向、噴射速度、および位置は、ワークＷに対するブラスト処理に適するように適宜変更可能である。
【００５３】
また、ワークＷは、金属、セラミック、ガラス、プラスチックなど硬質なものが主ではあるが、ゴムのような軟質なものであっても、冷却硬化させてからブラスト処理を行ってもよい。
【００５４】
また、ブラスト装置１００は、ワークＷのバリの除去の他、表面研削、梨地加工などの研削に用いられてもよく、金属表面の疲労強度および耐応力腐食割れの向上などを目的とするショットピーニング処理に用いられてもよい。また、投射材の素材そのものをワークＷに転写することにより、ワークＷの表面を改質コーティングするために用いられてもよい。
【産業上の利用可能性】
【００５５】
本発明にかかる緩衝材は、物由来物質に含まれる脂質成分または糖質成分が、緩衝材の表面から滲出することにより、ワークへの塗料定着性を維持しつつ、粒子の摩擦によって生じる静電気を低減することができるという効果を有し、ワークをブラスト処理する際に用いられる緩衝材として産業上の利用可能性がある。
【符号の説明】
【００５６】
５  エンドレスベルト凹部
１０  緩衝材
１２  回転体
２１  コア部
２２  緩衝液
２３  粉末体
２５  多孔質層
２６  外層
２７  孔部
２８  凹部
５０  ブラスト部
５１，５２  ローラー
５３  エンドレスベルト
１００  ブラスト装置
【図１】
2010280027.tif 000003
【図２】
2010280027.tif 000004
【図３】
2010280027.tif 000005
【図４】
2010280027.tif 000006
【図５】
2010280027.tif 000007
【図６】
2010280027.tif 000008